(57)【要約】【課題】  現在台所壁面に吸盤等にて、取り付けられている小物吊掛具を、吊下げられている玉杓子などの被吊下げ物が、壁面に接触するのを防ぐようにする。【解決手段】  小物吊掛具のフック部に、左右の掛部を吊り掛け装着し、掛部からなる吊下げ部材を下部にて、手前方向に曲げられ、接触阻止棒を有する。【選択図】  図１
2005074208.tif 000002
【特許請求の範囲】
【請求項１】
台所壁面に吸盤等にて取り付けられる小物吊具に於て、小物吊具のフック部分に、左右に位置する掛け部を吊り下げ装着し、下部に玉杓子などの、中間部または、その周辺に当接して壁面に接触するのを阻止する接触阻止棒を有する着脱可能な、小物吊具用補助具。
【請求項２】
請求項１記載の小物吊具用補助具に左右に位置する吊り下げ部材に弾力性を有する材質を用い、ある程度の一定幅に装着を可能とする小物吊具用補助具。
【請求項３】
請求項１記載の小物吊具用補助具に、左右に位置する掛け部、内径の形状を左右に長く有し、ある程度の一定幅に装着を可能とする小物吊具用補助具
【請求項４】
請求項１記載の小物吊具用補助具に下部位置する接触阻止棒を片方の内側に収納することにより、左右に伸縮可能とする小物吊具用補助具または、請求項２、３記載の小物吊具用補助具。
【請求項５】
請求項１記載の小物吊具用補助具に、左右に位置する吊り下げ部材下部に付属物の取り付けにて、前後の幅を調節可能とする小物吊具用補助具または、請求項２、３、４記載の小物吊具用補助具。
【発明の詳細な説明】
【技術分野】
【０００１】    台所壁面に吸盤等にて取り付けられる小物吊具に於て、小物吊具のフック部分に、左右に位置する掛け部を吊り下げ装着し、下部に玉杓子などの中間部または、その周辺に当接して壁面に接触するのを阻止する接触阻止棒を有する着脱可能な小物吊具用補助具に関する。
【背景技術】
【０００２】    従来、壁面に接触するのを阻止する接触阻止棒を有するものとしては、小物吊具と一体形となる例えば、特許文献１参照。
【特許文献１】    実開平０５−０２１８４３
【発明の開示】
【発明が解決しようとする課題】
【０００３】    このように一体形となる小物吊具では、取り替えの必要があり、新たに購入しなければならない。【０００４】    このような問題を解決しようとするものであり、現在使用されている小物吊具を有効に利用し、かつ、より使い勝手よくすることを目的とするものである。
【課題を解決するための手段】
【０００５】    台所壁面に吸盤等にて取り付けられる小物吊具に於て、小物吊具のフック部分に、左右に位置する掛け部を吊り下げ装着し、下部に玉杓子などの中間部または、その周辺に当接して壁面に接触するのを阻止する接触阻止棒を有する着脱可能な小物吊具用補助具を提案する。請求項１記載のものである。【０００６】    請求項１記載の小物吊具用補助具に左右に位置する吊り下げ部材に弾力性を有する材質を用いある程度の一定幅に装着を可能とする小物吊具用補助具提案する。請求項２記載のものである。【０００７】    請求項１記載の小物吊具用補助具に、左右に位置する掛け部、内径の形状を左右に長くし、ある程度の一定幅に装着を可能とする小物吊具用補助具を提案する。請求項３記載のものである。【０００８】    請求項１記載の小物吊具用補助具に下部位置する、接触阻止棒を左右に伸縮可能とする小物吊具用補助具または、請求項２、３記載の小物吊具用補助具を提案する。請求項４記載のものである。【０００９】    請求項１記載の小物吊具用補助具に、左右に位置する吊り下げ部材下部に付属物の取り付けにて、前後の幅を調節可能とする小物吊具用補助具または、請求項２、３、４記載の小物吊具用補助具。を提案する。請求項５記載のものである。
【発明の効果】
【００１０】    このようにすれば、現在台所壁面に吸盤等にて取り付けられている、小物吊具のフック部に簡単に装着できる。【００１１】    また、左右に位置する吊り下げ部材に弾力性を有する材質を用ることにより、ある程度の一定幅に装着を可能とする。【００１２】    また、左右に位置する掛け部内径の形状を左右に長くすることにより、ある程度の一定幅に装着を可能とする。【００１３】    また接触阻止棒を左右に伸縮可能とすることにより、玉杓子などの必要とされる部分にだけ装着することが可能である。【００１４】    また左右に位置する吊り下げ部材下部に、付属物の取り付けにて、前後の幅を調節可能とすることにより、小物吊具のフック部が手前に位置する場合または、大きな玉杓子などの、すくい部分を壁面に向くように小物吊具に吊り掛けた場合など、角度や大きさ、などによる接触を防ぐことが可能である。
【発明を実施するための最良の形態】
【００１５】    以上の実施形態について以下、図を参照して説明する。図１は、本発明を装着した全体図である。上部左右に掛部、掛部からなる吊り下げ部材、下部にて手前方向に曲げられ接触阻止棒を有する。現在台所壁面に吸盤等にて取り付けられている、小物吊具のフック部に、掛部１ａ、１ｂを双方抻入し装着する。【００１６】    図１に示す接触阻止棒５は、吊り下げ部材下部、４ａから４ｂ幅よりも長く有しており、小物吊具Ａのフック部に吊り下げられる玉杓子Ｂなどの、中間部または、その周辺に当接して壁面に接触するのを阻止する。以上請求項１記載のものである。【００１７】    図１に示す吊り下げ部材、３ａ、３ｂは、左右に弾力性を有する材質及び、形状が用られ、あ程度の一定幅に装着を可能とするこれは小物吊具のフック部の幅が、各製品により少々異なるためになされたものである。請求項２記載のものである【００１８】    図３に示す掛部２ａ、２ｂは、左右に位置する掛け部内径の形状を左右に長くすることにより、ある程度の一定幅に装着を可能とするこれは、弾力性を有する材質が用られない場合例えば、硬質の金属などで作られた本発明に使用するものである、１ａ  １ｂ同樣に装着し、前記同様小物吊具のフック部の幅が、各製品により少々異なるためになされたものである。請求項３記載のものである【００１９】    図４に示す接触阻止棒５は、片方の内側に収納可能となっており、収納すると、接触阻止棒が短くなるため、玉杓子などの必要とされる部分にだけ、吊り下げ装着することが可能である。請求項４記載のものである【００２０】    図５に示す付属物６は、図１に示す吊り下げ部材下部に位置する４ａ、４ｂ部分に取り付け可能とする、これは、接触阻止棒をより手前に、移動させるために使用するものである。これを取り付けることにより、接触阻止棒５がより手前になるため、小物吊具のフック部が手前に位置する場合または、大きな玉杓子などの、すくい部分を壁面に向くように小物吊具に吊り掛けた場合など、角度や大きさ、などにる接触を防ぐ場合に使用する。
【図面の簡単な説明】
【００２１】
【図１】  玉杓子を吊り掛けた、正面図
【図２】                      側面図
【図３】  ２ａ、２ｂ掛部      平面図
【図４】  接触阻止棒伸縮部    平面図
【図５】  付属物を取り付けた、側面図
【符号の説明】
【００２２】  Ａ−          小物吊具        ４ａ、４ｂ−  吊り下げ部材下部
Ｂ−          玉杓子          ５−          接触阻止棒
Ｃ−          壁面            ６−          付属物
１ａ、１ｂ−  掛部
２ａ、２ｂ−  掛部
３ａ、３ｂ−  吊り下げ部材
【図１】
2005074208.tif 000003
【図２】
2005074208.tif 000004
【図３】
2005074208.tif 000005
【図４】
2005074208.tif 000006
【図５】
2005074208.tif 000007